(57)【要約】【課題】ユーザインターフェースを用いて行う照明装置の識別情報と配置位置との対応づけに要する時間を従来よりも短縮し得る照明システムを提供する。【解決手段】複数の照明装置ＬＦと、複数の照明装置の動作を無線通信により制御する制御装置５と、ユーザ操作により複数の照明装置ＬＦに対する動作指示が入力され、動作指示を制御装置５に送信する端末装置６とを備えた照明システム１であって、複数の照明装置ＬＦのそれぞれは識別情報により識別され、自装置に電力供給が開始された場合に自装置の前記識別情報を送信し、制御装置５は、識別情報を受信し、受信した識別情報と、識別情報の受信日時とを対応づけて保持し、受信日時が所定の範囲内にある識別情報をグループ化して端末装置６に通知し、端末装置６は、識別情報をグループごとにまとめて表示する、識別情報と照明装置ＬＦとを対応づけるためのユーザインターフェースを有する。【選択図】図３
2019067707.tif 000002
【特許請求の範囲】
【請求項１】
複数の照明装置と、前記複数の照明装置の動作を無線通信により制御する制御装置と、ユーザ操作により前記複数の照明装置に対する動作指示が入力され、前記動作指示を前記制御装置に送信する端末装置とを備えた照明システムであって、
前記複数の照明装置のそれぞれは識別情報により識別され、自装置に電力供給が開始された場合に自装置の前記識別情報を送信し、
前記制御装置は、前記識別情報を受信し、受信した前記識別情報と、前記識別情報の受信日時とを対応づけて保持し、
前記受信日時が所定の範囲内にある識別情報をグループ化して前記端末装置に通知し、
前記端末装置は、前記識別情報を前記グループごとにまとめて表示する、前記識別情報と前記照明装置とを対応づけるためのユーザインターフェースを有する
ことを特徴とする照明システム。
【請求項２】
前記電力供給は、前記照明装置が接続される回路系統のブレーカのスイッチがオンにされたときに開始される
請求項１記載の照明システム。
【請求項３】
前記所定の範囲内は、前記ブレーカのスイッチがオンされた後に、前記制御装置によって最初に受信された識別情報の受信日時から、所定時間以内である
請求項２記載の照明システム。
【請求項４】
前記ユーザインターフェースには、各照明装置の設定位置を示すシンボルが表示され、
前記ユーザインターフェースは、
表示されている識別情報を有する照明装置を個別に点灯させる機能と、
ユーザ操作に基づいて、表示された識別情報と表示されたシンボルとを対応づける機能とを有する
請求項１記載の照明システム。
【発明の詳細な説明】
【技術分野】
【０００１】
本発明は、照明システムに関し、特に無線通信により照明装置を制御する技術に関する。
【背景技術】
【０００２】
複数の照明装置を無線通信により制御する照明システムが特許文献１に開示されている。無線通信を用いた照明システムでは、各照明装置を識別情報により識別して、それぞれを制御する必要がある。ここで、照明システムの導入時に、各照明装置が天井などの設置場所に設置される際には、各照明装置を区別することなく、配置が予定されている位置に順に配置される。この時点では、ある識別情報を有する照明装置が、天井のどの位置に配置されたかを特定することはできない。このため、ユーザは、照明システム導入時の初期設定の一環として、タブレットなどの端末装置を用いて照明装置と配置位置との対応付け処理（以下「識別情報対応付け処理」という）を行う。
【０００３】
識別情報対応付け処理において、端末装置は、無線通信によって各照明装置から識別情報を受信する。また、端末装置であるタブレットは、予め作成される、照明装置の配置場所をシンボルで表した照明配灯図を保持している。タブレットは、タッチパネルを有しており、照明配灯図と、受信した識別情報が表記されたボタンとが表示されたユーザインターフェースをタッチパネルに表示する。このボタンが押下されると、端末装置は、ボタンに記載された識別情報を有する照明装置に対し点灯指示を送信する。ユーザは、照明配灯図において、点灯した照明装置を表すシンボルに、点灯した照明装置の識別情報が記載されたボタンをドラッグし、識別情報と配置場所とを対応づける作業を行う。
【先行技術文献】
【特許文献】
【０００４】
【特許文献１】国際公開第２０１４／２０３５３７号
【発明の概要】
【発明が解決しようとする課題】
【０００５】
しかしながら、上述の照明システムにおいて、照明装置の識別情報と照明配灯図における配置位置とを対応づける場合に、照明装置の数が多数になってくると対応づけに時間がかかってしまうという問題がある。
【０００６】
上記問題に鑑み、本発明は、無線通信を用いた照明システムに関し、導入時における初期設定に要する時間を短縮することができる照明システムを提供することを目的とする。
【課題を解決するための手段】
【０００７】
上記課題を解決するために本発明に係る照明システムは、複数の照明装置と、前記複数の照明装置の動作を無線通信により制御する制御装置と、ユーザ操作により前記複数の照明装置に対する動作指示が入力され、前記動作指示を前記制御装置に送信する端末装置とを備えた照明システムであって、前記複数の照明装置のそれぞれは識別情報により識別され、自装置に電力供給が開始された場合に自装置の前記識別情報を送信し、前記制御装置は、前記識別情報を受信し、受信した前記識別情報と、前記識別情報の受信日時とを対応づけて保持し、前記受信日時が所定の範囲内にある識別情報をグループ化して前記入力端末装置に通知し、前記端末装置は、前記識別情報を前記グループごとにまとめて表示する、前記識別情報と照明装置とを対応づけるためのユーザインターフェースを有することを特徴とする。
【発明の効果】
【０００８】
上述の構成により、本発明に係る照明システムは、ユーザインターフェースを用いて行う識別情報と照明装置との対応づけに要する時間を従来よりも短縮することができる。
【図面の簡単な説明】
【０００９】
【図１】本発明の一実施形態に係る照明システムの構成を模式的に示す図
【図２】本発明の一実施形態に係る照明配灯図の一部を示す図
【図３】本発明の一実施形態に係る照明配置ＵＩの一例を示す図
【図４】図１に示す照明装置ＬＦ１の構成を示すブロック図
【図５】図１に示すゲートウェイ５の構成を示すブロック図
【図６】図１に示すタブレット６の構成を示すブロック図
【図７】設置時処理の手順を示すフローチャート
【図８】（ａ）グループ化処理前の識別情報表を示す図、（ｂ）グループ化処理実行後の識別情報表を示す図
【図９】グループ化処理の手順を示すフローチャート
【図１０】第２の実施形態に係る設置時処理の手順を示すフローチャート
【図１１】（ａ）第２の実施形態に係る、少数の識別情報が記載された識別情報表の一例を示す図、（ｂ）多くの識別情報が記載された識別情報表の一例を示す図
【発明を実施するための形態】
【００１０】
以下、本発明の一実施形態に係る照明システムについて図面を参照しながら説明する。
＜１．第１の実施形態＞
＜１．１．概要＞
＜１．１．１．照明システム１＞
図１は、本発明の一実施形態に係る照明システム１の構成を概念的に示すブロック図である。照明システム１は、図１に示す様に、電源２、ブレーカ３、１００台の照明装置ＬＦ１〜ＬＦ１００、照明装置を無線通信により制御する制御装置としてのゲートウェイ５、及び、ユーザインターフェースを有する端末装置としてのタブレット６を備える。なお、照明装置の台数は、特に限定されず、１００台に限るものではない。
【００１１】
ブレーカ３は、電源２及び３個の回路系統９ａ〜９ｃに電気的に接続されており、電源２から回路系統それぞれへの電力供給及び電力遮断を切り替える機能を有する。ブレーカ３は、回路系統９ａへの電力供給及び電力遮断を切り替えるスイッチ３ａ、回路系統９ｂへの電力供給及び電力遮断を切り替えるスイッチ３ｂ、及び、回路系統９ｃへの電力供給及び遮断を切り替えるスイッチ３ｃを備える。なお、回路系統の数、ブレーカ３が有するスイッチの数は、３個に限るものではなく、必要に応じ変更してよい。
【００１２】
回路系統３ａ、３ｂ及び３ｃには、それぞれ一例として３０台の照明装置ＬＦ１〜ＬＦ３０、３０台の照明装置ＬＦ３１〜ＬＦ６０、及び、４０台の照明装置ＬＦ６１〜ＬＦ１００が接続されている。照明装置ＬＦ１〜ＬＦ１００はそれぞれ内部に識別情報を保持しており、この識別情報により一意に識別される。
【００１３】
タブレット６は、制御用端末装置であり、ユーザが照明装置ＬＦ１〜ＬＦ１００のそれぞれに対し動作を指示するためのユーザインターフェイス（ＵＩ）を提供する。ユーザは、タブレット６を用いて、動作を要求する照明装置、及び、要求する動作を指定する。タブレット６は、動作すべき照明装置、及び、ユーザが要求した動作を示す動作要求をゲートウェイ５に対し無線送信する。
【００１４】
ゲートウェイ５は、照明装置ＬＦ１〜ＬＦ１００それぞれによる点灯、消灯、明るさ変更などの動作を制御する機能を有する。ゲートウェイ５は、タブレット６から動作要求を受信すると、動作要求により示される照明装置に対し、動作要求により示される動作を指示するための動作指示を送信する。照明装置ＬＦ１〜ＬＦ１００のそれぞれは、ゲートウェイ５により送信される動作指示を受信した場合に、その動作指示に応じた動作を行う。
＜１．１．２．識別情報対応付け処理＞
照明システムの導入時に、照明装置ＬＦ１〜ＬＦ１００が設置場所（一例として天井）に設置される場合、照明装置ＬＦ１〜ＬＦ１００は、上述のように個々を識別することなく設置される。よって、ユーザは、タブレット６を用いて照明装置ＬＦ１〜ＬＦ１００と設置位置との対応付け処理を行う。以下、識別情報対応付け処理について説明する。
【００１５】
照明装置ＬＦ１〜ＬＦ１００の設置場所は、一例として照明配灯図により模式的に示される。図２は、照明配灯図の一部（照明配灯図ＬＡ）を示す図である。照明配灯図ＬＡ中の円で表したシンボル（シンボルＳＢ１、ＳＢ２など）は、照明装置ＬＦ１〜ＬＦ１００のいずれかが配置される位置を表している。照明配灯図ＬＡにおいては、廊下に照明装置が８個配され、居室に照明装置が１２個配され、会議室に照明装置が２０個配されることを示している。照明配灯図ＬＡは、ユーザによりパーソナルコンピュータ等を用いて生成され、識別情報対応付け処理に先立ちタブレット６に格納される。そして、タブレット６は、ユーザ操作に基づき、タブレット６のディスプレイに照明配灯図ＬＡを表示させる機能を有する。
【００１６】
一方、ゲートウェイ５は、無線通信が確立した照明装置ＬＦ１〜ＬＦ１００それぞれから識別情報を受信し、受信した識別情報をタブレット６に送信する。
【００１７】
タブレット６は、受信した識別情報を、一例として、図３に示すように、照明配灯図と共に表示することができる。この識別情報と照明配灯図とを含むユーザインターフェース（ＵＩ）を以下「照明配置ＵＩ」という。
【００１８】
図３の照明配置ＵＩ１００において、照明装置を識別するための識別情報は、矩形画像の上に重ねて表示される。この識別情報が表示された矩形画像を以下「ボタン」という。一例として、ボタンＢＴ１１、ＢＴ１２、ＢＴ２１及びＢＴ２２は、それぞれ識別情報としてＷＭ０００１、ＷＭ０００５、ＷＭ０００３及びＷＭ０００６を表示している。
【００１９】
ユーザは、タブレット６に表示された照明配置ＵＩ１００中のボタンにタッチすることで、ボタンに表示された識別情報で特定される照明装置に対する動作要求を入力することができる。このボタンは、タッチするごとに、点滅オンの指示と点滅オフの指示の入力が切り替わるトグル式のボタンとなっている。なお、タッチパネル６５を用いた動作要求の入力については、動作要求を入力できれば足り、ボタンにタッチするものに限らず、メニュー形式で表示された動作要求の候補からユーザが選択するなどであってもよい。
【００２０】
ユーザは、照明配置ＵＩ１００に表示されたボタンにタッチすることで、ボタンに表示された識別情報を有する照明装置に点滅オンを要求する。このとき、タブレット６は、ゲートウェイ５に対し、タッチされたボタンにより表示された識別情報を有する照明装置に点滅オンを要求するための動作要求を送信する。ゲートウェイ５は、動作要求により示される照明装置に対し、点滅オンを指示するための動作指示を送信する。動作指示を受信した照明装置は、点滅動作する。
【００２１】
ユーザは、点滅している照明装置の天井における実際の配置位置を確認し、照明配置ＵＩ１００に模式的にシンボルとして表された照明装置のうち、天井における実際の配置位置に対応するシンボルに、タッチしたボタンをドラッグする。図３は、ユーザが、Ｈ１からＨ２へドラッグしていることを模式的に表している。これにより、識別情報ＷＭ０００３と、シンボルＳＢ２とが対応付けられる。タブレット６は、ドラッグされたシンボルにより示される位置に配置された照明装置と、ボタンに表示された識別情報との対応を把握すると、これらの対応を示す対応情報をゲートウェイ５に送信する。
【００２２】
タブレット６において、識別情報とシンボルとが対応づけられた後、シンボルは、一例としてボタンと同様にトグルスイッチとして機能する。すなわち、ユーザがシンボルにタッチするごとに、そのシンボルに対応づけられている識別情報により特定される照明装置に対する、電源オンの動作要求と電源オフの動作要求が交互にタブレット６に入力されることになる。なお、識別情報とシンボルとが対応づけられた後のシンボルの機能は、電源オン及びオフのトグルスイッチに限るものではなく、照明装置を制御するための他の機能であってもよい。
【００２３】
ここで、照明配置ＵＩを用いて識別情報とシンボルとを対応づける処理において、対応づけるべき識別情報及びシンボルの数が増えるごとに、処理に要する時間が増えていくことになる。本発明は、初期設定の一環としての、識別情報及びシンボルを対応づける際に要する時間の短縮に係る。本発明の一実施形態に係るシステム構成、及びその動作について、より詳細に説明する。
＜１．２．構成＞
＜１．２．１．照明装置ＬＦ＞
照明装置ＬＦ１〜ＬＦ１００は、それぞれ固有の識別情報を保持している以外は同等の構成を有している。以下では、照明装置ＬＦ１〜ＬＦ１００の代表としての照明装置ＬＦ１について説明する。照明装置ＬＦ２〜ＬＦ１００については、特に説明が必要な場合を除き説明を省略する。
【００２４】
照明装置ＬＦ１は、図４に示すように、光源部４１、電源部４２、回路部４３、及びワイヤレスモジュール（以下「ＷＭ」という）部４４を備える。ＷＭ部４４は、着脱可能なモジュールであり、無線部４４ａ及び制御部４４ｂを備える。
【００２５】
光源部４１は、ＬＥＤ（Ｌｉｇｈｔ  Ｅｍｉｔｔｉｎｇ  Ｄｉｏｄｅ）で構成された光源である。なお、光源部４１は、照明用の光源を備えれば足り、有機ＥＬ（Ｅｌｅｃｔｒｏ  Ｌｕｍｉｎｅｓｃｅｎｃｅ）デバイスなどＬＥＤ以外の光源で構成されていてもよい。
【００２６】
電源部４２は、交流で供給される電力を直流に変換して光源部４１に供給する。
【００２７】
回路部４３は、光源部４１、電源部４２、及びＷＭ部４４を相互に接続する。
【００２８】
無線部４４ａは、無線通信を行う機能を有する。無線部４４ａは、無線通信により、ゲートウェイ５から送信された情報を受信する。また、無線部４４ａは、制御部４４ｂによる制御に従い情報を無線通信によりゲートウェイ５へ送信する。
【００２９】
制御部４４ｂは、ＩＣ（Ｉｎｔｅｇｒａｔｅｄ  Ｃｉｒｃｕｉｔ）により構成され、照明装置ＬＦ１の動作を制御する機能を有する。制御部４４ｂは、無線部４４ａを介して受信する情報に基づいて、光源部４１の照明制御（点灯、消灯、調光等）を行う。
【００３０】
また、制御部４４ｂは、記憶領域を有しており、制御部４４ｂに固有の識別情報を保持している。識別情報は、一例として、ＷＭ０００１〜ＷＭ０１００を用いる例で説明するが、照明装置、ＷＭ部４４を固有に識別できれば足り、例えばＭＡＣアドレス（Ｍｅｄｉａ  Ａｃｃｅｓｓ  Ｃｏｎｔｒｏｌ  Ａｄｄｒｅｓｓ）などであってもよい。制御部４４ｂは、電源部４２により電力供給が開始され起動した場合に、無線部４４ａを介して無線通信により自らの識別情報を送信する。この通信は、照明システムの導入時には、予め初期設定されている宛先に対して送信する。ゲートウェイ５との通信接続が確立し、ゲートウェイ５によりネットワークに関する設定がされた後は、ゲートウェイ５を情報送受信の相手とした無線通信を行うことができる。
＜１．２．２．ゲートウェイ５＞
ゲートウェイ（以下「ＧＷ」という）５は、図５に示すように、無線通信部５１、有線通信部５２、制御部５３、ＲＯＭ（Ｒｅａｄ  Ｏｎｌｙ  Ｍｅｍｏｒｙ）５４、ＲＡＭ（Ｒａｎｄｏｍ  Ａｃｃｅｓｓ  Ｍｅｍｏｒｙ）５５、表示部５６、及び電源部５７を備える。ＧＷ５の各機能は、ＲＯＭ５４からロードされてＲＡＭ５５に記憶されているプログラムを制御部５３が実行することにより実現される。
【００３１】
無線通信部５１は、無線通信を行う機能を有する。無線通信部５１は、具体的には、照明装置４、及びタブレット６と無線により通信する。無線通信の方法（プロトコル）は、照明装置４に対する通信と、タブレット６に対する通信は同じでもよいが違っていても良く、例えば照明装置４に対しては低速のＩＥＥＥ８０２．１５．４系又はＩＥＥＥ８０２．１５．１系，タブレット６に対しては通常のタブレットに備わっているＩＥＥＥ８０２．１１系やＩＥＥＥ８０２．１５．１系を用いることができる。ただし「系」はアルファベットなどが付加された通信プロトコル（例えばＩＥＥＥ８０２．１５．１ｎ）も含むことを意味する。
【００３２】
有線通信部５２は、有線のネットワークケーブルを介してデータ通信を行う機能を有する。有線のネットワークは、例えば有線ＬＡＮ（Ｌｏｃａｌ  Ａｒｅａ  Ｎｅｔｗｏｒｋ）などである。例えば、複数のゲートウェイ５が協働して動作をするような場合などには、複数のゲートウェイ５同士が有線により接続される。このような場合に、有線通信部５２は、他のゲートウェイ５との間で有線通信を行い必要な情報を交換する。
【００３３】
制御部５３は、ＣＰＵ（Ｃｅｎｔｒａｌ  Ｐｒｏｃｅｓｓｉｎｇ  Ｕｎｉｔ）を備え、ＲＡＭ５３にロードされたプログラムを読み込み、読み込んだプログラムに応じて動作する。制御部５３は、タブレット６から無線通信部５１を介して受信する動作指示に応じた処理を実行する。また、制御部５３は時計機能を有する。
【００３４】
ＲＯＭ５４は、制御部５３を動作させるプログラムを格納する不揮発メモリである。
【００３５】
ＲＡＭ５５は、ＲＯＭ５３に格納されたプログラムがロードされる記憶装置である。
【００３６】
表示部５６は、制御部５３による制御に基づいて情報を提示する。表示部５６は、情報の提示ができれば足り、一例として、ＬＥＤインジゲータ、液晶ディスプレイ等で構成してよい。表示部５６は、電源がオンまたはオフのいずれであるか、無線通信において問題が発生していないかなどの情報を利用者が分かるように提示する。
【００３７】
電源部５７は、外部より供給される電力を、装置内の各部の仕様に合うよう変換して供給する機能を有する。電源部５７に供給される電力は、上述の回路系統とは異なる回路系統を介して供給される。ゲートウェイ５は常時動作する必要があるので、電源部５７は、常時電力が供給する回路系統に接続される。
＜１．２．３．タブレット６＞
タブレット６は、照明装置等を制御するための制御端末として機能する。タブレット６は、図１に示すような長方形板状の外観を有する。タブレット６は、コンピュータ及びコンピュータを制御端末として機能させるためのプログラムを実行する。タブレット６は、具体的には、本体部の正面にタッチパネルが嵌め込まれた可搬型の情報端末であり、一般的なタブレット端末が有する通信機能、データ処理機能、入出力機能、及び情報表示機能を一通り備える。
【００３８】
タブレット６は、図６に示すように、制御部６１、制御部６１を動作させるプログラムを格納するＲＯＭ６２、ＲＡＭ６３、通信部６４、及びタッチパネル６５を備える。タブレット６の各機能は、ＲＯＭ６２からロードされてＲＡＭ６３に記憶されているプログラムを制御部６１が実行することにより実現される。
【００３９】
制御部６１は、ＣＰＵを備え、タッチパネル６５を用いてユーザ操作により入力されるユーザ指示に応じた情報をタッチパネル６５から受け取り、受け取った情報に応じた処理を実行する。
【００４０】
通信部６４は、無線通信を行うデバイスである。通信部６４は、ゲートウェイ５と無線通信を行う。
【００４１】
タッチパネル６５は、表示装置と位置入力装置とを組み合わせた電子部品である。表示装置は、一例として液晶パネルである。また、位置入力装置は、一例としてタッチパッドである。タッチパネル６５は、ユーザにより接触された位置に対応するユーザ指示を示す情報を制御部６１に通知する。
＜１．３．動作＞
＜１．３．１．設置時処理フロー＞
以上のように構成された照明システム１による、初期設定の一環としての設置時設定処理について、以下、図７を用いて説明する。なお、図７では、照明装置ＬＦ１〜ＬＦ１００に関し、照明装置ＬＦ１、ＬＦ３０、ＬＦ３１、ＬＦ６０、ＬＦ６１、及びＬＦ１００についてのみ明記しているが、他の照明装置についても同様の動作をする。
【００４２】
まず、ユーザは、タブレット６のＵＩを用いてタブレット６に対し設置時設定処理の実行指示を入力する（ステップＳ１０１）。設置時設定処理の実行指示を受け付けたタブレット６は、無線通信により、ゲートウェイ５に対して設置時設定処理の開始を示す動作指示を送信する。ゲートウェイ５は、設置時設定処理の開始を示す動作指示を受信すると、設置時設定処理モードとなる。設定時設定処理モードにおいては、ゲートウェイ５は、自識別情報ではない特別な識別情報を送信先として各照明装置により送信される情報を受信し、設置時設定処理を実行する。
【００４３】
ユーザは、次に、ブレーカ３のスイッチ３ａをオンにする（ステップＳ１０２）。これにより、電源２と回路系統９ａとが接続され、回路系統９ａに接続されている３０台の照明装置ＬＦ１〜ＬＦ３０への電力供給が開始される。照明装置ＬＦ１〜ＬＦ３０は、電力供給が開始されると、それぞれ自装置の識別情報（図７にて「ＩＤ」と記載）をゲートウェイ５に送信する（ステップＳ１０３、ステップＳ１０５）。
【００４４】
ゲートウェイ５は、照明装置ＬＦ１〜ＬＦ３０が送信した識別情報を受信する（ステップＳ１０４、Ｓ１０６）。そして、ゲートウェイ５は、各識別情報を受信した受信日時を時計から読み出し、その識別情報と受信日時とを対応づけて識別情報表に記憶する。図８（ａ）は、識別情報表の一例を示す。識別情報表は、図８（ａ）に示すように、識別情報、受信日時、及び回路番号との対応を示している。表中の１行が１個の識別情報、すなわち１台の照明装置に対応する。回路番号は、後述するグループ化処理（ステップＳ１２２参照）において記載される（図８（ｂ）参照）。回路番号は、識別情報が分類された回路系統を示し、同じグループに分類された識別情報には、同じ回路番号が割り振られる。なお、各照明装置は、識別情報を通信の確実のため複数回送信する場合がある。ゲートウェイ５は、同じ識別情報を所定時間内に複数回受信した場合には、最も早く受信した日時のみを識別情報表に記載する。
【００４５】
次に、ユーザは、ブレーカ３のスイッチ３ｂをオンにする（ステップＳ１０７）。これにより、電源２と回路系統９ｂとが接続され、回路系統９ｂに接続されている３０台の照明装置ＬＦ３１〜ＬＦ６０に電力供給が開始される。照明装置ＬＦ３１〜ＬＦ６０は、電力供給が開始されると、それぞれ自装置の識別情報をゲートウェイ５に送信する（ステップＳ１０８、ステップＳ１１０）。
【００４６】
ここで、ユーザは、スイッチ３ａをオンしてから、スイッチ３ｂをオンするまでに、一定時間（一例として１０秒以上）間隔を空けるものとする。そうすると、回路系統９ａに接続されている照明装置ＬＦ１〜ＬＦ３０が識別情報を送信してから、回路系統９ｂに接続されている照明装置ＬＦ３１〜ＬＦ６０が識別情報を送信するまでの時間間隔を、一定時間以上設けられることになる。これにより、ゲートウェイ５において、受信した各識別情報が、回路系統９ａ、回路系統９ｂのいずれに接続された照明装置により送信されたものかを判断する場合の判断誤りの可能性を低減することができる。
【００４７】
ゲートウェイ５は、照明装置ＬＦ３１〜ＬＦ６０が送信した識別情報を受信する（ステップＳ１０９、Ｓ１１１）。そして、ゲートウェイ５は、各識別情報を受信した受信日時を時計から読み出し、その識別情報と受信日時とを対応づけて識別情報表に記憶する。
【００４８】
次に、ユーザは、ブレーカ３のスイッチ３ｃをオンにする（ステップＳ１１２）。これにより、電源２と回路系統９ｃとが接続され、回路系統９ｃに接続されている４０台の照明装置ＬＦ６１〜ＬＦ１００に電力供給が開始される。電力供給が開始されると、照明装置ＬＦ６１〜ＬＦ１００は、それぞれ自装置の識別情報をゲートウェイ５に送信する（ステップＳ１１３、ステップＳ１１５）。なお、ユーザは、スイッチ３ｂをオンする場合と同様の理由により、スイッチ３ｂをオンしてから、スイッチ３ｃをオンするまでに、一定間隔の時間を空けるものとする。
【００４９】
ゲートウェイ５は、照明装置ＬＦ６１〜ＬＦ１００が送信した識別情報を受信する（ステップＳ１１４、Ｓ１１６）。そして、ゲートウェイ５は、各識別情報を受信した受信日時を時計から読み出し、その識別情報と受信日時とを対応づけて識別情報表に記憶する。
【００５０】
ユーザは、設置された照明装置各々が接続された各電力系統に電力を供給するためのスイッチを全てオンにした後、タブレット６に対し、識別情報表の送信要求を指示する（ステップＳ１２１）。タブレット６は、識別情報表の送信要求をゲートウェイ５に送信する。ここで、ユーザは、スイッチ３ｃをオンにしてから、識別情報表の送信要求を指示するまでに、一定時間間隔を空けるものとする。これにより、識別情報表の送信要求を指示する前に、回路系統９ｃに接続されている照明装置ＬＦ６１〜ＬＦ１００によって識別情報が送信されて、その識別情報がゲートウェイ５により受信されている可能性を高めることができる。
【００５１】
ゲートウェイ５は、識別情報表の送信要求を受信すると、識別情報のグループ化処理を実行する（ステップＳ１２２）。グループ化処理は、図８（ａ）に示す識別情報表の、各行に係る識別情報を、回路系統ごとに分類する処理である。グループ化処理が実行されると、識別情報表の回路番号欄に値が書き込まれることになる。ステップＳ１２２の詳細は、図９に示される。図９については後述する。
【００５２】
ゲートウェイ５は、グループ化処理を終了すると、回路番号が書き込まれ完成した識別情報表をタブレット６に送信する（ステップＳ１２３）。
【００５３】
そして、ユーザは、タブレット６を用いて上述した識別情報対応付け処理を行う（ステップＳ１２４）。タブレット６は、一例として図３に示す、受信した識別情報表に含まれる識別情報と、照明配灯図とを画面表示した照明配置ＵＩをタッチパネル６５に表示する。ここで、図３に示す照明配置ＵＩにおいて、識別情報は、グループ化処理によって分類された回路番号ごとにまとめて表示される。一例として、図３では、「回路１」を示すパネルＢＴ１の下に、回路系統１に接続されている照明装置の識別番号がまとめて列記される（ＢＴ１１、ＢＴ１２、・・・）。
【００５４】
ボタンＢＴ３１には識別番号が記載されず「・・・」が記載されているが、このボタンは、回路系統９ａに接続される照明装置に係る識別番号が、ＷＭ０００１、ＷＭ０００５、ＷＭ００２５の他にも存在することを示している。このボタンＢＴ３１をユーザがタッチすることで、回路系統１に接続される照明装置に係る識別情報で表示されていないものが、表示されるようになる。
【００５５】
ここで、同じ回路系統に接続された照明装置は、天井の近い配置位置に配置されている可能性が高い。照明配置ＵＩ１００において、天井の近い配置位置に配置されている照明装置を表すシンボルも、近くの表示位置に表示されている可能性が高い。
【００５６】
このため、ユーザは、照明配置ＵＩにおける、回路系統ごとにまとまって表示される識別情報を、近い表示位置に表示されているシンボルにドラッグによって対応づけていけばよいため、ドラッグ作業の負担が軽減され、効率よく識別情報とシンボルとを対応づけることができる。よって、照明システム１によれば、識別情報対応付け処理に要する時間を短縮することができる。
＜１．３．２．グループ化処理フロー＞
以下、図７のステップＳ１２２の詳細を示す図９を参照しながら、グループ化処理について説明する。グループ化処理の開始前の時点では、識別情報表は、例えば図８（ａ）に示すように、回路番号欄が空欄になっている。
【００５７】
ゲートウェイ５は、まず、変数ｉの初期値に１を代入する（ステップＳ２０１）。そして、すべての識別情報（図中ＩＤと記載）を判定対象にして（ステップＳ２０２）、判定対象のうち、識別情報に対応する受信日時が最も早い識別情報を選出する（ステップＳ２０３）。
【００５８】
選出した識別情報の受信日時から所定時間（一例として１０秒）以内の受信日時である識別情報を全て選出する（ステップＳ２０４）。そして、識別情報表における、選出した識別情報に対応する回路番号欄にｉの値を記載する（ステップＳ２０５）。なお、回路番号が１の場合、対応する識別情報に係る照明装置が回路系統９ａに接続していることを示す。同様に、回路番号が２及び３の場合、対応する識別情報に係る照明装置がそれぞれ回路系統９ｂ及び９ｃに接続していることを示す。
【００５９】
次に、ゲートウェイ５は、これまで選出していない識別情報を判定対象にする（ステップＳ２０６）。そして、判定対象の識別情報が存在するか否か判断する（ステップＳ２０７）。
【００６０】
判定対象の識別情報が存在する場合（ステップＳ２０７でＹＥＳ）、変数ｉを１増加させて（ステップＳ２０８）、ステップＳ２０３に進む。判定対象の識別情報が存在しない場合（ステップＳ２０７でＮＯ）、処理を終了する。
【００６１】
以上、説明したグループ化処理を実行した結果、識別情報表の回路番号欄に値が書き込まれ、識別情報が回路系統ごとにグループ化される。
＜２．第２の実施形態＞
第１の実施形態では、設置時設定処理において、ユーザがブレーカ３のスイッチ３ａ〜３ｃそれぞれを、時間間隔を空けて順にオンしていた。
【００６２】
これに対し、第２の実施形態では、ユーザが、ブレーカ３のスイッチをオンにした後、そのスイッチをオンしたことにより電力供給が開始された回路系統に接続している照明装置の全てから識別情報が送信されるまで、次のスイッチをオンするのを待つこととしている。
【００６３】
以下、第２の実施形態について図面を参照しながら説明する。
【００６４】
図１０は、第２の実施形態に係る設置時処理の手順を示すフローチャートである。
【００６５】
まず、ユーザは、タブレット６のＵＩを用いてタブレット６に対し設置時設定処理の実行指示を入力する（ステップＳ１０１）。設置時設定処理の実行指示を受け付けたタブレット６は、無線通信により、ゲートウェイ５に対して設置時設定処理の開始を示す動作指示を送信する。ゲートウェイ５は、設置時設定処理の開始を示す動作指示を受信すると、設置時設定処理モードとなる。
【００６６】
タブレット６は、受信した識別情報の数を示す変数である識別情報数を０にリセットする（ステップＳ４００）。また、ゲートウェイ５は、回路番号を表す変数ｉの初期値に１を代入する（ステップＳ４０１）。
【００６７】
そして、ユーザは、スイッチ３ａをオンにする（ステップＳ１０２）。これにより、電源２と回路系統９ａとが接続され、回路系統９ａに接続されている３０台の照明装置ＬＦ１〜ＬＦ３０への電力供給が開始される。照明装置ＬＦ１〜ＬＦ３０は、電力供給が開始されると、それぞれ自装置の識別情報をゲートウェイ５に送信する（ステップＳ１０３、ステップＳ１０５）。
【００６８】
ゲートウェイ５は、照明装置ＬＦ１〜ＬＦ３０が送信した識別情報を受信する（ステップＳ４０２、Ｓ４０６）。そして、ゲートウェイ５は、受信した識別情報と、回路番号としての変数ｉの値とを対応づけて識別情報表に記憶する。図１１（ａ）は、本実施形態に係る識別情報表の一例を示す。識別情報表は、図１１（ａ）に示すように、識別情報及び回路番号の対応を示している。表中の１行が１個の識別情報、すなわち１台の照明装置に対応する。ゲートウェイ５が、各照明装置から識別情報を受信するごとに、識別情報表中に識別情報と回路番号との組が追記されていく（図１１（ｂ）参照）。
【００６９】
ゲートウェイ５は、識別情報を受信するごとに、その識別情報をタブレット６に送信する（ステップＳ４０３、Ｓ４０７）。
【００７０】
タブレット６は、識別情報を受信するごとに、ＩＤ数をカウントアップし、ＩＤ数をタッチパネル６５に表示する（ステップＳ４０４、Ｓ４０８）。ＩＤ数は、ユーザがスイッチ３ａをオンしたことにより、識別情報を送信した照明装置の数を示している。
【００７１】
ユーザは、予め、各回路系統に接続している照明装置の数を把握している。ユーザは、表示されるＩＤ数が、スイッチ３ａに係る回路系統に接続している照明装置の数と一致するまで待つ。そして、ユーザは、表示されるＩＤ数が、スイッチ３ａに係る回路系統に接続している照明装置の数と一致した場合に、タブレット６に対し、グループ完了通知の送信要求を入力する（ステップＳ４０９）。タブレット６は、ゲートウェイ５に対しグループ完了通知を送信する。また、タブレット６は、カウントしているＩＤ数をリセットする（ステップＳ４２０）。ゲートウェイ５は、グループ完了通知を受け取ると、変数ｉを１インクリメントする（ステップＳ４２１）。グループ完了通知は、同回路系統に接続しているすべての照明装置から識別情報が送信されたことを意味する。
【００７２】
ユーザは、次のスイッチ（スイッチ３ｂ）をオンにする（ステップＳ１０７）。これにより、電源２と回路系統９ｂとが接続され、回路系統９ｂに接続されている３０台の照明装置ＬＦ３１〜ＬＦ６０への電力供給が開始される。照明装置ＬＦ３１〜ＬＦ６０は、電力供給が開始されると、それぞれ自装置の識別情報をゲートウェイ５に送信する（ステップＳ１０８、ステップＳ１１０）。
【００７３】
ゲートウェイ５は、照明装置ＬＦ３１〜ＬＦ６０が送信した識別情報を受信する（ステップＳ４２２、Ｓ４２５）。そして、ゲートウェイ５は、受信した識別情報と、回路番号としての変数ｉの値とを対応づけて識別情報表に記憶する。ゲートウェイ５は、識別情報を受信するごとに、その識別情報をタブレット６に送信する（ステップＳ４２３、Ｓ４２６）。タブレット６は、識別情報を受信するごとに、ＩＤ数をカウントアップし、ＩＤ数をタッチパネル６５に表示する（ステップＳ４２４、Ｓ４２７）。
【００７４】
ユーザは、表示されるＩＤ数が、スイッチ３ｂに係る回路系統に接続している照明装置の数と一致した場合に、タブレット６に対し、グループ完了通知の送信要求を入力する（ステップＳ４２８）。タブレット６は、ゲートウェイ５に対しグループ完了通知を送信する。また、タブレット６は、カウントしているＩＤ数をリセットする（ステップＳ４４０）。ゲートウェイ５は、グループ完了通知を受け取ると、変数ｉを１インクリメントする（ステップＳ４４１）。
【００７５】
スイッチ３ｃについても、スイッチ３ｂについて行った処理と同様の処理を実行する（ステップＳ１２２、Ｓ１１３、Ｓ４４２、Ｓ４４３、Ｓ４４４、Ｓ１１５、Ｓ４４５、Ｓ４４６、Ｓ４４７、Ｓ４４８）。
【００７６】
そして、ユーザは、タブレット６に対し、識別情報表の送信要求を指示する（ステップＳ１２１）。タブレット６は、識別情報表の送信要求をゲートウェイ５に送信する。
【００７７】
ゲートウェイ５は、識別情報表をタブレット６に送信する（ステップＳ１２３）。タブレット６は、識別情報表を受信する。そして、上述した識別情報対応つけ処理（ステップＳ１２４）を実行する。
【００７８】
第２の実施形態に係る発明は、ゲートウェイ５が、各照明装置から識別情報を受信したときに、受信した識別情報に回路番号を割り振りグループ分けまで実行する点で、第１の実施形態とは異なる。
【００７９】
第２の実施形態の場合、第１の実施形態のようにブレーカ３のあるスイッチをオンにした後、次のスイッチをオンにするまでの時間間隔をユーザが把握する必要がなくなる。
＜３．変形例＞
以上、本発明に係る照明システムの実施形態を説明したが、例示した照明システムを以下のように変形することも可能であり、本発明が上述の実施形態で示した通りの照明システムに限られないことは勿論である。
【００８０】
（１）上述の実施形態では、識別情報をグループ化するために回路番号を用いていたが、これに限るものではなく、識別情報、ひいては各照明装置を、接続する回路系統ごとにグループ化できる情報、属性等であれば足りる。例えば、回路名、グループ名、回路のＩＤなどを用いることとしてよい。
【００８１】
（２）上述の実施形態では、ブレーカのスイッチをオンすることで回路系統への電力供給を開始していたが、これに限らず、回路系統への電力供給の開始／停止を切り替えられる手段であれば足りる。例えば、ブレーカに代えて、半導体デバイスで構成されるスイッチを用いてもよい。
【００８２】
また、上述の実施形態では、ユーザがブレーカのスイッチを直接操作してオン、オフ切り替えすることとしていたが、これに限らず、電力供給の開始／停止を切り替えられれば足りる。例えば、電力供給の開始／停止を遠隔制御により切り替えることとしてもよい。具体的には、上述の半導体デバイスで構成されるスイッチとして、無線制御によって電力供給のオン／オフが切り替え可能なスイッチ（以下「無線スイッチ」という）を用い、そのオン／オフをタブレット６などの制御端末により制御することとしてもよい。
【００８３】
また、タブレット６などの制御端末から、スイッチ３ａに対応する無線スイッチ、スイッチ３ｂに対応する無線スイッチ、スイッチ３ｃに対応する無線スイッチの順に、１０秒間隔を空けてオンする制御をすることとしてもよい。このようにすることで、第１の実施形態のように、ユーザが、１０秒ごとに、スイッチ３ａ、スイッチ３ｂ及びスイッチ３ｃをオンしていくという動作、処理が不要となり、ユーザの負担はより軽減される。
【００８４】
（３）上述の実施形態では、ユーザが、スイッチ３ａをオンしてから、スイッチ３ｂをオンするまでに、一例として１０秒以上間隔を空けるものとしていたが、必ずしも１０秒以上空ける必要はなく、必要な時間間隔を確保すれば足りる。より具体的には、時間間隔は、スイッチがオンされてから、電力供給が開始された回路系統に接続されている識別情報がゲートウェイ４によって全て受信されるまでの時間分だけ設ければよい。
【００８５】
（４）上述の実施形態では、照明装置が接続された回路系統ごとにその照明装置が有する識別情報をグループ化していたが、天井などの設置場所において、実際に近い配置位置に配置されている可能性が高い照明装置が有する識別情報をグループ化できれば足りる。例えば、ゲートウェイが、各照明装置と無線通信した際の電波強度を測定し、電波強度を所定の大きさ範囲ごとにグループ化することによって、その電波強度が測定された照明装置に係る識別情報についてもグループ化されることとしてもよい。
【００８６】
（５）照明配置ＵＩにおいて、グループ化して表示される識別情報を、さらに、他の情報に基づき定められる順番で並べることとしてもよい。例えば、同グループに分類された識別情報について、上述の電波強度の強い照明装置のものから順に並べることとしてもよい。
【００８７】
（６）上述の実施形態では、ゲートウェイ５に制御機能を持たせたが、制御機能をタブレット６に持たせ、ゲートウェイ５は信号の中継機能のみを有する構成としてもよい。
【００８８】
（７）上述の実施形態では、ゲートウェイ５とタブレット６とを別個の構成としたが、これに限らず、双方の機能を備える一つの装置として構成してもよい。
【００８９】
（８）上述の実施形態では、ゲートウェイ５が１個用いられる例で説明したが、これに限らず、ゲートウェイ５は複数あってもよい。そして複数のゲートウェイ５が、連携して動作してもよい。ゲートウェイ５の物理的な無線通信は限られるので、複数のゲートウェイ５が連携動作することで、より広い範囲に設置された照明装置を制御することができる。
【００９０】
（９）上述の実施形態及び各変形例を、部分的に組み合せてもよい。
＜４．補足＞
以下、更に本発明の一実施形態としての照明システムの構成及びその変形例と効果について説明する。
（１）本発明の一実施形態に係る照明システムは、複数の照明装置と、前記複数の照明装置の動作を無線通信により制御する制御装置と、ユーザ操作により前記複数の照明装置に対する動作指示が入力され、前記動作指示を前記制御装置に送信する端末装置とを備えた照明システムであって、前記複数の照明装置のそれぞれは識別情報により識別され、自装置に電力供給が開始された場合に自装置の前記識別情報を送信し、前記制御装置は、前記識別情報を受信し、受信した前記識別情報と、前記識別情報の受信日時とを対応づけて保持し、前記受信日時が所定の範囲内にある識別情報をグループ化して前記端末装置に通知し、前記端末装置は、前記識別情報を前記グループごとにまとめて表示する、前記識別情報と前記照明装置とを対応づけるためのユーザインターフェースを有する。
【００９１】
この構成により、本発明に係る照明システムは、ユーザインターフェースを用いて行う識別情報と照明装置との対応づけに要する時間を従来よりも短縮することができる。
（２）また、前記電力供給は、前記照明装置が接続される回路系統のブレーカのスイッチがオンにされたときに開始されることとしてもよい。
【００９２】
この構成により、照明装置の識別情報を、照明装置が接続している回路系統ごとにグループ化することができる。
（３）また、前記所定の範囲内は、前記ブレーカのスイッチがオンされた後に、前記制御装置によって最初に受信された識別情報の受信日時から、所定時間以内であることとしてもよい。
【００９３】
この構成により、受信時間が所定時間以内の識別情報をグループ化することができる。
（４）また、前記ユーザインターフェースには、各照明装置の設定位置を示すシンボルが表示され、前記ユーザインターフェースは、表示されている識別情報を有する照明装置を個別に点灯させる機能と、ユーザ操作に基づいて、表示された識別情報と表示されたシンボルとを対応づける機能とを有することとしてもよい。
【００９４】
この構成により、照明装置を１台ずつ点灯させながら、点灯した照明装置を表すシンボルと、識別情報とを対応づけすることができる。
【符号の説明】
【００９５】
１      照明システム
２      電源
３      ブレーカ
３ａ、３ｂ、３ｃ    スイッチ
４      照明装置
５      ゲートウェイ
６      タブレット
９ａ、９ｂ、９ｃ    回路系統
４１    光源部
４２    電源部
４３    回路部
４４    ＷＭ部
４４ａ  無線部
４４ｂ  制御部
５１    無線通信部
５２    有線通信部
５３    制御部
５６    表示部
５７    電源部
６１    制御部
６４    通信部
６５    タッチパネル
１００  照明配置ＵＩ
【図１】
2019067707.tif 000003
【図２】
2019067707.tif 000004
【図３】
2019067707.tif 000005
【図４】
2019067707.tif 000006
【図５】
2019067707.tif 000007
【図６】
2019067707.tif 000008
【図７】
2019067707.tif 000009
【図８】
2019067707.tif 000010
【図９】
2019067707.tif 000011
【図１０】
2019067707.tif 000012
【図１１】
2019067707.tif 000013